(57)【要約】【課題】駐車用ドラムブレーキのブレーキ状態および非ブレーキ状態を切換える動力を発揮する電動モータを有するとともに駐車用ドラムブレーキのブレーキ状態を保持可能な電動駆動手段と、駐車状態での車両発進操作に応じて駐車用ドラムブレーキを自動的に非ブレーキ状態とするように電動駆動手段を作動せしめる自動解除モードの選択を可能として電動駆動手段の作動を制御する制御ユニットとを備える電動駐車ブレーキ装置において、自動解除モードの選択如何にかかわらず、あたり付けを容易に実行可能とする。【解決手段】ブレーキシューの初期当たりつけを実行する当たりつけモードをあたり付けモード選択手段で選択したときには、制御ユニットは、自動解除モードの選択時にあっても車両が所定距離走行するまでは駐車状態を維持するのに必要なブレーキ力よりも小さな所定のブレーキ力を前記駐車用ドラムブレーキが発揮するように電動駆動手段の作動を制御する。【選択図】        図３
2006082688.tif 000002
【特許請求の範囲】
【請求項１】
駐車用ドラムブレーキ（１１）と、該駐車用ドラムブレーキ（１１）のブレーキ状態および非ブレーキ状態を切換える動力を発揮する電動モータ（２１）を有するとともに前記駐車用ドラムブレーキ（１１）のブレーキ状態を保持可能な電動駆動手段（１２）と、駐車状態での車両発進操作に応じて前記駐車用ドラムブレーキ（１１）を自動的に非ブレーキ状態とするように前記電動駆動手段（１２）を作動せしめる自動解除モードの選択を可能として前記電動駆動手段（１２）の作動を制御する制御ユニット（Ｃ）とを備える電動駐車ブレーキ装置において、前記駐車用ドラムブレーキ（１１）が備えるブレーキシュー（１５，１６）の初期当たりつけを実行する当たりつけモードを手動操作で選択可能なあたり付けモード選択手段（３２）を含み、前記制御ユニット（Ｃ）は、前記あたり付けモード選択手段（３２）による当たりつけモードの選択時には、前記自動解除モードの選択時にあっても車両が所定距離走行するまでは駐車状態を維持するのに必要なブレーキ力よりも小さな所定のブレーキ力を前記駐車用ドラムブレーキ（１１）が発揮するように前記電動駆動手段（１２）の作動を制御することを特徴とする電動駐車ブレーキ装置。
【発明の詳細な説明】
【技術分野】
【０００１】
本発明は、駐車用ドラムブレーキと、該駐車用ドラムブレーキのブレーキ状態および非ブレーキ状態を切換える動力を発揮する電動モータを有するとともに前記駐車用ドラムブレーキのブレーキ状態を保持可能な電動駆動手段と、駐車状態での車両発進操作に応じて前記駐車用ドラムブレーキを自動的に非ブレーキ状態とするように前記電動駆動手段を作動せしめる自動解除モードの選択を可能として前記電動駆動手段の作動を制御する制御ユニットとを備える電動駐車ブレーキ装置に関する。
【背景技術】
【０００２】
自動解除モードの選択時に駐車用ドラムブレーキを作動せしめて駐車している状態で車両の発進操作を行うと、駐車用ドラムブレーキが自動的に非ブレーキ状態となるようにした電動駐車ブレーキ装置が、たとえば特許文献１等で既に知られている。
【特許文献１】特開２００１−１０６０６０号公報
【発明の開示】
【発明が解決しようとする課題】
【０００３】
ところで、駐車用ドラムブレーキにおけるブレーキシューの交換後には、そのブレーキシューをブレーキドラムになじませるために、駐車ブレーキ時よりも小さな荷重でブレーキシューをブレーキドラムに押しつけて車両を数百メートル程度走行させるようにしたあたり付けを行う必要があるのであるが、上記従来のものでは、自動解除モードを選択したままであると、駐車用ブレーキドラムが自動的に非ブレーキ状態となってしまうので、あたり付け作業を行うことができない。また自動解除モードの選択を解除したとしても、電動モータは、車両の停車状態を維持するのに必要なブレーキ力を駐車用ドラムブレーキが発揮すべく大きな動力を発揮するように設定されており、ブレーキシューの当たり付け作業を行うべく電動モータを作動せしめると、駐車用ドラムブレーキが大きなブレーキ力を発揮するので車両の走行が困難となり、あたり付けが不可能となる。
【０００４】
本発明は、かかる事情に鑑みてなされたものであり、自動解除モードの選択如何にかかわらず、あたり付けを容易に実行し得るようにした電動駐車ブレーキ装置を提供することを目的とする。
【課題を解決するための手段】
【０００５】
上記目的を達成するために、本発明は、駐車用ドラムブレーキと、該駐車用ドラムブレーキのブレーキ状態および非ブレーキ状態を切換える動力を発揮する電動モータを有するとともに前記駐車用ドラムブレーキのブレーキ状態を保持可能な電動駆動手段と、駐車状態からの車両発進時には前記駐車用ドラムブレーキを自動的に非ブレーキ状態とするように前記電動駆動手段を作動せしめる自動解除モードの選択を可能として前記電動駆動手段の作動を制御する制御ユニットとを備える電動駐車ブレーキ装置において、前記駐車用ドラムブレーキが備えるブレーキシューの初期当たりつけを実行する当たりつけモードを手動操作で選択可能なあたり付けモード選択手段を含み、前記制御ユニットは、前記あたり付けモード選択手段による当たりつけモードの選択時には、前記自動解除モードの選択時にあっても車両が所定距離走行するまでは駐車状態を維持するのに必要なブレーキ力よりも小さな所定のブレーキ力を前記駐車用ドラムブレーキが発揮するように前記電動駆動手段の作動を制御することを特徴とする。
【発明の効果】
【０００６】
本発明の上記構成によれば、駐車用ドラムブレーキにおけるブレーキシューのあたり付けを、その交換等の後で実行する際には、あたり付けモード選択手段によって当たりつけモードを選択した後に、車両を所定距離走行させればよく、そうすれば電動駆動手段は、車両が所定距離走行するまでは駐車状態を維持するのに必要なブレーキ力よりも小さな所定のブレーキ力を駐車用ドラムブレーキが発揮するので、自動解除モードの選択如何にかかわらず、ブレーキシューのあたり付けを容易に実行することができる。
【発明を実施するための最良の形態】
【０００７】
以下、本発明の実施の形態を、添付の図面に示した本発明の一実施例に基づいて説明する。
【０００８】
図１〜図３は本発明の一実施例を示すものであり、図１は電動駐車ブレーキ装置を備えた車両の全体平面図、図２は電動駐車ブレーキ装置の制御系を示すブロック図、図３は駐車ブレーキ状態を解除する条件が成立するか否かを判断する判断手順を示すフローチャートである。
【０００９】
先ず図１において、車両の左右の後輪ＷＲ，ＷＲには駐車用ドラムブレーキ１１，１１が装着されており、該駐車用ドラムブレーキ１１は、ブレーキドラム１４と、ブレーキドラム１４に内周面に接触可能な一対のブレーキシュー１５，１６と、両ブレーキシュー１５，１６を連結する連結ロッド１７と、一方のブレーキシュー１５にピン１８を介して一端が回転自在に支持されるレバー１９とを備え、前記ブレーキドラム１４は、前記後輪ＷＲに装着されるディスクブレーキＤＢのブレーキディスク１３に一体に設けられる。
【００１０】
前記両後輪ＷＲ，ＷＲの駐車用ドラムブレーキ１１，１１は、電動駆動手段１２により作動せしめられるものであり、この電動駆動手段１２は、車体に固定される支持枠２０に取付けられる電気アクチュエータとしての正逆回転自在の電動モータ２１と、一端が該電動モータ２１に同軸に連結されるとともに他端が前記支持枠に回転自在に支承されるねじ軸２２と、ねじ軸２２の軸線まわりの回転を不能としつつ前記軸線まわりのスライドを可能として前記支持枠２０に支承されるとともに前記ねじ軸２２に螺合されるイコライザ２３と、該イコライザ２３に一端が連結される左右一対のボーデンワイヤ２４，２４と、非通電時に前記ねじ軸２２の回転を拘束する電磁ブレーキ２５とを備え、前記両ボーデンワイヤ２４，２４の他端が前記駐車用ドラムブレーキ１１，１１におけるレバー１９…の他端に連結される。
【００１１】
このような電動駆動手段１２において、電磁ブレーキ２５に通電してねじ軸２２の回転拘束状態を解除した状態で、電動モータ２１によってねじ軸２２を回転作動せしめることにより、左右のボーデンワイヤ２４，２４を緊張させて両駐車用ドラムブレーキ１１，１１をブレーキ作動せしめたり、左右のボーデンワイヤ２４，２４を緩めて両駐車用ドラムブレーキ１１，１１のブレーキ作動を解除したりすることができ、両駐車用ドラムブレーキ１１，１１のブレーキ状態で前記電磁ブレーキ２５を非通電状態としてねじ軸２２の回転を拘束することにより、電動モータ２１への通電を停止した状態で駐車用ドラムブレーキ１１，１１のブレーキ状態を保持することができる。
【００１２】
すなわち電動駆動手段１２は、駐車用ドラムブレーキ１１，１１のブレーキ状態および非ブレーキ状態を切換え可能であるとともに、前記駐車用ドラムブレーキ１１，１１のブレーキ状態を保持可能である。
【００１３】
図２において、前記電動駆動手段１２の作動は制御ユニットＣで制御されるものであり、この制御ユニットＣには、駐車用ドラムブレーキ１１，１１をブレーキ作動せしめるための駐車ブレーキスイッチ３０と、駐車状態での車両発進操作に応じて駐車用ドラムブレーキ１１，１１を自動的に非ブレーキ状態とするように電動駆動手段１２を作動せしめる自動解除モードを選択するための自動解除モード選択スイッチ３１と、駐車用ドラムブレーキ１１，１１が備えるブレーキシュー１５，１６…の初期当たりつけを実行する当たりつけモードを手動操作で選択可能なあたり付けモード選択手段であるあたり付けモード選択スイッチ３２と、電動モータ２１を流れる電流を検出する電流センサ３３と、電動駆動手段１２におけるイコライザ２３のストロークを検出するストロークセンサ３４と、シフトポジションが「Ｐ」，「Ｎ」以外のポジションにあることを検出するシフトポジションセンサ３５と、アクセルペダルの操作を検出するアクセルペダルセンサ３６と、ブレーキペダルの操作を検出するブレーキペダルセンサ３７と、車両の走行距離を検出する走行距離計３８とからそれぞれ信号が入力される。
【００１４】
上記制御ユニットＣは、車両の発進時に駐車用ドラムブレーキ１１，１１のブレーキ状態を解除するか否かを図３で示す手順に従って判断するものであり、ステップＳ１では、あたり付けモード選択スイッチ３２によってあたり付けモードが選択されているかどうかを判断し、あたり付けモードが選択されていない場合には、ステップＳ２に進み、自動解除モード選択スイッチ３１によって自動解除モードが選択されているか否かを判断する。而して自動解除モードが選択されていると判断したときには、ステップＳ３，Ｓ４，Ｓ５によって、シフトポジションが「Ｐ」，「Ｎ」以外のポジションにあり、ブレーキペダルが非操作状態にあり、しかもアクセルペダルが踏み込まれたことを検出したときに車両の発進操作が行われたと判断し、ステップＳ６において駐車用ドラムブレーキ１１，１１のブレーキ状態を自動的に解除する条件が成立したと判断する。
【００１５】
またステップＳ２〜Ｓ５のいずれかの判断条件が成立しなかったときには、ステップＳ７において駐車用ドラムブレーキ１１，１１のブレーキ状態を自動的に解除する条件が成立しなかったと判断する。
【００１６】
而して制御ユニットＣは、駐車用ドラムブレーキ１１，１１のブレーキ状態を自動的に解除する条件が成立したと判断したときには、駐車状態からの車両発進時に、駐車用ドラムブレーキ１１，１１を自動的に非ブレーキ状態とするように電動駆動手段１２の作動を制御することになる。
【００１７】
一方、ステップＳ１において、あたり付けモード選択スイッチ３２によってあたり付けモードが選択されていると判断したときにはステップＳ８に進み、このステップＳ８〜Ｓ１０によって、シフトポジションが「Ｐ」，「Ｎ」以外のポジションにあり、ブレーキペダルが非操作状態にあり、しかもアクセルペダルが踏み込まれたことを検出したときには、あたり付けモードの選択状態で車両の発進操作が行われたと判断し、ステップＳ１１において、ブレーキ操作力を駐車状態を維持するのに必要なブレーキ力よりも小さなブレーキ力を駐車用ドラムブレーキ１１，１１が発揮するのに必要な値よりも小さな値まで低減させて駐車用ドラムブレーキ１１，１１に作用せしめる条件が成立したと判断する。
【００１８】
而して制御ユニットＣは、ステップＳ１１でブレーキ操作力を通常のサービスブレーキ時よりも小さな値まで低減させて駐車用ドラムブレーキ１１，１１に作用せしめる条件が成立したと判断したときには、自動解除モードの選択時にあっても、車両が所定距離走行するまでは駐車用ドラムブレーキ１１，１１は、駐車状態を維持するのに必要なブレーキ力よりも小さな所定のブレーキ力を発揮するように電動駆動手段１２の作動を制御することになる。
【００１９】
次にこの実施例の作用について説明すると、電動駆動手段１２の作動を制御する制御ユニットＣが、駐車用ドラムブレーキ１１，１１が備えるブレーキシュー１５，１６…の初期当たりつけを実行する当たりつけモードをあたり付けモード選択スイッチ３２で選択したときには、自動解除モードの選択時にあっても車両が所定距離走行するまでは駐車用ドラムブレーキ１１，１１が駐車状態を維持するのに必要なブレーキ力よりも小さな所定のブレーキ力を発揮するよう電動駆動手段１２の作動を制御するので、駐車用ドラムブレーキ１１，１１におけるブレーキシュー１５，１６…のあたり付けを、その交換等の後で実行する際には、あたり付けモード選択スイッチ３２によって当たりつけモードを選択した後に、車両を所定距離走行させればよいことになる。したがって自動解除モードの選択の如何にかかわらず、ブレーキシュー１５，１６…のあたり付けを容易に実行することができる。
【００２０】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００２１】
【図１】電動駐車ブレーキ装置を備えた車両の全体平面図である。
【図２】電動駐車ブレーキ装置の制御系を示すブロック図である。
【図３】駐車ブレーキ状態を解除する条件が成立するか否かを判断する判断手順を示すフローチャートである。
【符号の説明】
【００２２】
１１・・・駐車用ドラムブレーキ
１２・・・電動駆動手段
１５，１６・・・ブレーキシュー
２１・・・電動モータ
３２・・・あたり付けモード選択手段であるあたり付けモード選択スイッチ
Ｃ・・・制御ユニット
【図１】
2006082688.tif 000003
【図２】
2006082688.tif 000004
【図３】
2006082688.tif 000005